(57)【要約】【課題】メニュー作成時にアイテムの位置関係や大きさをユーザに把握させることができ、これによって適切な被写体位置及び構図での背景画像の撮影を可能にする撮影装置を提供する。【解決手段】撮影範囲や焦点を調整するための映像表示画面１１６を用いて、メニュー作成用の背景画像を撮影するとき、外部からの操作によって、メニュー作成用のアイテム４１〜４４が配置されたフレーム情報を映像表示画面に表示させ、メニュー作成用の背景画像の撮影時の表示情報として設定し、背景画像の撮影時に、表示情報として設定されたフレーム情報のアイテムを被写体の画像又は映像４０に重畳させて映像表示画面に表示させる。【選択図】図４
2008294665.tif 000002
【特許請求の範囲】
【請求項１】
撮影範囲及び焦点の少なくとも一方を調整するための映像表示画面を有し、前記映像表示画面を用いてメニュー作成用の背景画像を撮影する撮影装置において、
外部からの操作によって、メニュー作成用のアイテムが配置されたフレーム情報を、プリセットデータとしてあらかじめ装置の内部に保有していたものを呼び出して前記映像表示画面に表示させるか又は装置の外部から提供を受けて前記映像表示画面に表示させる手段と、
外部からの操作によって、前記映像表示画面に表示された前記フレーム情報を、前記メニュー作成用の背景画像の撮影時の表示情報として設定する手段と、
前記メニュー作成用の背景画像の撮影時に、前記表示情報として設定された前記フレーム情報の前記アイテムを前記背景画像に重畳させて前記映像表示画面に表示させる手段とを、
備えたことを特徴とする撮影装置。
【請求項２】
前記フレーム情報が、前記アイテム以外の位置に配置された焦点合わせ目標位置の情報を含み、前記メニュー作成用の背景画像の撮影時に、前記焦点合わせ目標位置の情報を前記アイテムと併せて表示することを特徴とする請求項１に記載の撮影装置。
【請求項３】
外部からの操作によって、撮影フレームのアスペクト比及び撮影画像サイズの少なくとも一方を決定する手段と、前記メニュー作成用の背景画像の撮影時に、前記アイテム以外の所定の位置に焦点を合わせる手段とを備えたことを特徴とする請求項１に記載の撮影装置。
【発明の詳細な説明】
【技術分野】
【０００１】
本発明は、テキストデータ、サムネイルデータ、アイコンデータなどのアイテムが配置されたメニュー画面を作成する際、その背景画像を撮影するのに好適な撮影装置に関する。
【背景技術】
【０００２】
現在、パーソナルコンピュータやＤＶＤレコーダを利用して、あらかじめ個人が記録した映像などを編集することによって、オリジナルのＤＶＤを作成することができる。この場合、コンテンツ情報を一覧表示し、一覧表示されたコンテンツ情報から所望のコンテンツを選択するために利用されるメニュー画面の作成が可能である。下記の特許文献１には、メニュー画面の背景画像として、任意の静止画像又は動画映像を使用することが可能な情報記録装置が開示されている。この静止画像又は動画映像は、静止画撮影装置又は動画撮影装置によって事前に撮影したものを使用するのが一般的であった。
【特許文献１】特開２００４−１８５６６７号公報（段落００３１、００３８）
【発明の開示】
【発明が解決しようとする課題】
【０００３】
しかしながら、静止画撮影装置又は動画撮影装置によって静止画像や動画映像を事前に撮影する場合、メニュー作成時に配置されるアイテムの位置関係や大きさの把握が難しく、適切な被写体位置及び構図での撮影ができないという問題があった。
【０００４】
本発明は、上記の問題点を解決するためになされたもので、その目的は、メニュー作成時に配置されるアイテムの位置関係や大きさをユーザに把握させることができ、これによって適切な被写体位置及び構図での背景画像の撮影を可能にする撮影装置を提供することにある。
【課題を解決するための手段】
【０００５】
上記の目的を達成するために、本発明は、撮影範囲及び焦点の少なくとも一方を調整するための映像表示画面を有し、前記映像表示画面を用いてメニュー作成用の背景画像を撮影する撮影装置において、
外部からの操作によって、メニュー作成用のアイテムが配置されたフレーム情報を、プリセットデータとしてあらかじめ装置の内部に保有していたものを呼び出して前記映像表示画面に表示させるか又は装置の外部から提供を受けて前記映像表示画面に表示させる手段と、
外部からの操作によって、前記映像表示画面に表示された前記フレーム情報を、前記メニュー作成用の背景画像の撮影時の表示情報として設定する手段と、
前記メニュー作成用の背景画像の撮影時に、前記表示情報として設定された前記フレーム情報の前記メニュー作成用のアイテムを前記背景画像に重畳させて前記映像表示画面に表示させる手段とを、
備えたことを特徴とする。
【発明の効果】
【０００６】
本発明によれば、メニュー作成用のアイテムが配置されたフレーム情報を、背景画像の撮影時の表示情報として設定すると、メニュー作成用の背景画像の撮影時に、設定されたフレーム情報のアイテムが撮影中の背景画像に重畳されて映像表示画面に表示されるので、メニュー作成時に配置されるアイテムの位置関係や大きさをユーザに把握させることができ、これによって適切な被写体位置及び構図での背景画像の撮影を可能にする撮影装置が提供される。
【発明を実施するための最良の形態】
【０００７】
以下、本発明を図面に示す好適な実施の形態に基づいて詳細に説明する。
＜第１の実施の形態＞
図１は本発明に係る撮影装置の第１の実施の形態の構成を示すブロック図であり、特に、静止画撮影装置としてのデジタルカメラの構成を示したものである。図１において、レンズ及び絞り機構などで構成される光学系１０１は撮影対象物からの反射光を入射させてＣＣＤ１０２上に撮影対象物の像を結ばせる。ＣＣＤ１０２はその上に結ばれた像光を電気信号に変換する。この電気信号は増幅器１０３で増幅され、さらにＡ／Ｄ変換器１０４によってデジタル信号に変換されて撮像信号処理部１０５に加えられる。撮像信号処理部１０５はデジタル信号を多値（Ｒ、Ｇ、Ｂ）のラスタデータ（映像データ）として出力する。
【０００８】
ＣＰＵ１０６は、演算処理上のワーキングエリア又は入出力のバッファとして用いられるＲＡＭ１０７と、演算処理に必要なプログラムや固定値があらかじめ書き込まれ、必要に応じてその提供を受けるＲＯＭ１０８とを付帯している。そして、ＣＰＵ１０６は、撮像信号処理部１０５から出力されたＲ、Ｇ、Ｂのラスタデータをバッファメモリ１１０に記憶させ、さらに、記録信号処理部１１１を動作させて画像処理及び画像圧縮処理などの実行を制御するほか、記録媒体制御部１１２の記録媒体１１３に対するデータの書き込み、読み出しの実行を制御する。また、ＣＰＵ１０６には、スイッチ操作などによるユーザからの指示を受け、その指示をデジタル信号に変換して入力する入力手段１０９と、スイッチなどの状態表示や機能、仕様などを表示するＬＥＤランプなどの表示手段１１５とが接続されている。
【０００９】
記録信号処理部１１１はバッファメモリ１１０に記憶されたＲ、Ｇ、Ｂのラスタデータを輝度成分Ｙ及び色差成分Ｕ、Ｖに変換し、さらに画像ファイルに変換した後、サムネイル画像を作成するための縮小処理を実行する。記録媒体制御部１１２は記録信号処理部１１１の出力を受け取って、画像ファイルに変換された画像データ及びサムネイル画像データを記録媒体１１３の所定の位置へ書込む制御と、記録媒体１１３に記録された画像データを読出す制御とを実行する。
【００１０】
また、ＣＰＵ１０６には、外部装置とでデータの授受を行う場合に用いるインタフェース１１４と、撮影範囲や焦点などを調整するための映像表示画面として液晶ディスプレイなどで構成される表示手段１１６とが接続されている。なお、他の静止画撮影装置としては、静止画撮影機能を備えたビデオカメラや携帯電話、撮影用カメラを内蔵するか又は外部接続され、静止画撮影機能を備えたパソコンなどがある。
【００１１】
図１に示したデジタルカメラにおいて、作成するメニュー画面に対応した複数種類のフレーム情報が、プリセットデータとしてＲＯＭ１０８に記憶されており、これらのプリセットデータの中から所望のフレーム情報を選択するべく、ユーザが入力手段１０９を用いて呼び出し操作をすると、複数種類のフレーム情報が表示手段１１６に表示される。また、ユーザが入力手段１０９を用いて適当なフレーム情報を選択すると、選択されたフレーム情報がメニュー作成用の背景画像の撮影時の表示情報として設定される。このフレーム情報の表示及び選択は、入力手段１０９からの入力操作に応じて、ＣＰＵ１０６がＲＯＭ１０８のシステム制御プログラムを実行することによって行われる。
【００１２】
図３は撮影フレームに関連させて設定されるべきアスペクト比及び撮影サイズを選択する場合の処理手順を示すフローチャートである。ここで、最初のステップＳ３１において撮影フレームのアスペクト比を４：３及び１６：９の中から１つを選択し、次に、ステップＳ３２においてＲＯＭ１０８に記憶（登録）されている撮影フレーム（アイテムを含む）の中から１つを選択し、ステップＳ３３において作成するメニュー画面の映像信号形式に合わせて画素数がそれぞれ７２０×４８０、１２８０×７２０、１４４０×１０８０、１９２０×１０８０である４つの撮影サイズから１つを選択して、設定処理を終了する。これらの設定を行うことによって、例えば、アスペクト比として１６：９が、撮影サイズとして画素数７２０×４８０がそれぞれ選択された場合、図１の表示手段１１６には、図４に示すように、被写体の画像又は映像４０に対して、テキストデータ４１、サムネイルデータ４２及びアイコンデータ４３を含むアイテムが重畳されて、例えば透過表示される。
【００１３】
ここで、ＣＰＵ１０６は、アイテム配置エリアを避けた位置を焦点位置として、焦点を合わせるように光学系１０１を自動的に制御する（図１においては、図面の簡単化のためにＣＰＵ１０６が光学系１０１を駆動する経路を省略している）。この制御に際して、図４に示すように、フレーム情報に焦点合わせ目標位置の情報４４を含ませて、アイテムと併せて表示手段１１６に表示して、ユーザに焦点合わせ位置を認識させることもできる。このように、静止画像の撮影前に行うアスペクト比、撮影フレーム及び撮影サイズの選択による設定操作を行うことによって、静止画像を撮影する際には画像サイズに合わせたアイテムが表示手段１１６に表示され、ユーザはアイテム位置を認識して画像を撮影する環境で、適切な被写体位置、構図及び焦点位置で被写体を撮影することができる。
【００１４】
なお、第１の実施の形態では図３のフローチャートに示すように、撮影フレームのアスペクト比及び撮影画像サイズの両方を決定したが、これらのいずれか一方が固定であり、いずれか他方の情報が選択可能にＲＯＭ１０８に記憶されていた場合には、その選択により他方のみを決定してもよい。
【００１５】
＜第２の実施の形態＞
図２は本発明に係る撮影装置の第２の実施の形態の構成を示すブロック図であり、特に、動画撮影装置として代表的なビデオカメラの構成を示したものである。図２において、レンズ及び絞り機構などで構成される光学系２０１は撮影対象物からの反射光を入射させてＣＣＤ２０２上に撮影対象物の像を結ばせる。ＣＣＤ２０２はその上に結ばれた像光を電気信号に変換する。この電気信号は増幅器２０３で増幅され、さらにＡ／Ｄ変換器２０４によってデジタル信号に変換されて撮像信号処理部２０５に加えられる。撮像信号処理部２０５はデジタル信号を多値（Ｒ、Ｇ、Ｂ）のラスタデータ（映像データ）として出力する。
【００１６】
また、音声を録音するマイク２０６を備え、このマイク２０６から出力された電気信号が増幅器２０７で増幅され、さらにＡ／Ｄ変換器２０８によってデジタル信号に変換されて音声信号処理部２０９に加えられる。音声信号処理部２０９はデジタル信号をＬＰＣＭフォーマットの音声データとして出力する。
【００１７】
ＣＰＵ２１０は、演算処理上のワーキングエリア又は入出力のバッファとして用いられるＲＡＭ２１１と、演算処理に必要なプログラムや固定値があらかじめ書き込まれ、必要に応じてその提供を受けるＲＯＭ２１２を付帯している。そして、ＣＰＵ２１０は、撮像信号処理部２０５から出力されたＲ、Ｇ、Ｂのラスタデータをバッファメモリ２１４に記憶させるとともに、音声信号処理部２０９から出力された音声データをバッファメモリ２１４に記憶させ、さらに、記録信号処理部２１５を動作させて画像処理、音声処理及び画像や音声の圧縮、伸張処理などの実行を制御するほか、記録媒体制御部２１６の記録媒体２１７に対するデータの書き込み、読み出しの実行を制御する。また、ＣＰＵ２１０には、スイッチ操作などによるユーザからの指示を受け、その指示をデジタル信号に変換して入力する入力手段２１３と、スイッチなどの状態表示や機能、仕様などを表示するＬＥＤランプなどの表示手段２１９とが接続されている。
【００１８】
記録信号処理部２１５はバッファメモリ２１４に記憶されたＲ、Ｇ、Ｂのラスタデータを輝度成分Ｙ及び色差成分Ｕ、Ｖに変換し、また、バッファメモリ２１４に記憶されたＬＰＣＭフォーマットの音声データを必要に応じてＡＣ−３やＡＡフォーマットの音声データに圧縮し、動画信号と同期させて映像信号ファイルに変換した後、サムネイル画像又はサムネイル映像を作成するための縮小処理を行う。記録媒体制御部２１６は記録信号処理部２１５の出力を受け取って、映像信号ファイルに変換された映像データ及びサムネイル画像データ又はサムネイル映像データを記録媒体２１７の所定の位置へ書込む制御と、記録媒体２１７に記録された各映像データを読出す制御とを実行する。
【００１９】
また、ＣＰＵ２１０には、外部装置とのデータの授受を行う場合に用いるインタフェース２１８と、撮影範囲や焦点などを調整するための映像表示画面として液晶ディスプレイなどで構成される表示手段２２０と、撮影した映像データを表示手段２２０に表示した際に、音声を出力する音声出力手段２２１とが接続されている。なお、他の動画撮影装置としては、動画撮影機能を備えたデジタルカメラや携帯電話、撮影用カメラを内蔵するか又は外部接続され、動画撮影機能を備えたパソコンなどがある。
【００２０】
図２に示したビデオカメラにおいて、作成するメニュー画面に対応した複数種類のフレーム情報が、プリセットデータとしてＲＯＭ２１２に記憶されており、これらのプリセットデータの中から所望のフレーム情報を選択するべく、ユーザが入力手段２１３を用いて呼び出し操作をすると、複数種類のフレーム情報が表示手段２２０に表示される。また、ユーザが入力手段２１３を用いて適当なフレーム情報を選択すると、選択されたフレーム情報がメニュー作成用の背景画像の撮影時の表示情報として設定される。このフレーム情報の表示及び選択は、入力手段２１３からの入力操作に応じて、ＣＰＵ２１０がＲＯＭ２１２のシステム制御プログラムを実行することによって行われる。
【００２１】
このビデオカメラにおいても、アスペクト比、フレーム情報及び撮影サイズを選択、設定する処理手順は、デジタルカメラの場合と同様であるので、図３のフローチャートに従ってその手順を説明する。すなわち、最初のステップＳ３１において撮影フレームのアスペクト比を４：３及び１６：９の中から１つを選択し、次に、ステップＳ３２においてＲＯＭ２１２に記憶（登録）されている撮影フレーム（アイテムを含む）の中から１つを選択し、ステップＳ３３において作成するメニュー画面の映像信号形式に合わせ、画素数がそれぞれ７２０×４８０、１２８０×７２０、１４４０×１０８０、１９２０×１０８０である４つの撮影サイズから１つを選択して、設定処理を終了する。これらの設定を行うことによって、例えば、アスペクト比として１６：９が、撮影サイズとして画素数７２０×４８０がそれぞれ選択された場合、表示手段２２０には、図４に示すように、被写体の画像又は映像４０に対して、テキストデータ４１、サムネイルデータ４２及びアイコンデータ４３を含むアイテムが重畳され、例えば透過表示される。
【００２２】
ここで、ＣＰＵ２１０は、アイテム配置エリアを避けた位置を焦点位置として、焦点を合わせるように光学系２０１を自動的に制御する（図２においては、図面の簡単化のためにＣＰＵ２１０が光学系２０１を駆動する経路を省略している）。この制御に際して、図４に示すように、フレーム情報に焦点合わせ目標位置の情報４４を含ませて、アイテムと併せて表示手段２２０に表示して、ユーザに焦点合わせ位置を認識させることもできる。このように、動画映像の撮影前に行うアスペクト比、撮影フレーム及び撮影サイズの選択による設定操作を行うことによって、動画映像を撮影する際には画像サイズに合わせたアイテムが表示手段２２０に表示され、ユーザはアイテム位置を認識して画像を撮影する環境で、適切な被写体位置、構図及び焦点位置で被写体を撮影することができる。
【００２３】
なお、第２の実施の形態では図３のフローチャートに示すように、撮影フレームのアスペクト比及び撮影画像サイズの両方を決定したが、これらのいずれか一方が固定であり、いずれか他方の情報が選択可能にＲＯＭ２１２に記録されていた場合には、その選択により他方のみを決定してもよい。
【００２４】
＜第３の実施の形態＞
第１の実施の形態で説明した静止画撮影装置としてのデジタルカメラにおいては、作成するメニュー画面に対応した複数種類のフレーム情報が、プリセットデータとしてＲＯＭ１０８に記憶されていたが、本実施の形態は、これらのフレーム情報を装置の外部から提供を受けて表示手段１１６に表示させ、背景画像の撮影時の表示情報として設定するものである。この場合、デジタルカメラの構成は図１と同一であるため、図１及び図４を参照してその概略動作を以下に説明する。
【００２５】
図１に示したデジタルカメラにおいて、メモリカードやネットワーク環境を利用して、外部よりこのデジタルカメラと互換性のあるファイルフォーマットにて、作成するメニュー画面に対応したフレーム情報の提供を受け、背景画の撮影の際にそのフレーム情報を読み出すことによって、フレーム情報を設定する。そして、設定されたフレーム情報のアスペクト比が１６：９で、撮影サイズが７２０×４８０画素であった場合、図１に示した表示手段１１６には、図４に示すように、被写体画像又は映像４０に対して、テキストデータ４１、サムネイルデータ４２及びアイコンデータ４３を含むアイテムを重畳させた画面が表示される。撮影時の焦点位置は、アイテムの配置エリアを避けた所定の位置となるように、装置の内部で制御を行うか、又は、図４に示すように、被写体の映像に対して、アイテムと併せて焦点合わせ目標位置の情報４４を表示してユーザに対して焦点合わせ位置を指定する。これによって、ユーザはメニュー作成用の静止画像を撮影する際に、撮影画像サイズに合ったアイテム位置を認識して映像を撮影する環境にて、適切な被写体位置、構図及び焦点位置で被写体を撮影することができる。
【００２６】
＜第４の実施の形態＞
第２の実施の形態で説明した動画撮影装置としてのビデオカメラにおいては、作成するメニュー画面に対応した複数種類のフレーム情報が、プリセットデータとしてＲＯＭ２１２に記憶されていたが、本実施の形態は、これらのフレーム情報を装置の外部から提供を受けて表示手段２２０に表示させ、背景画像の撮影時の表示情報として設定するものである。この場合、ビデオカメラの構成は図２と同一であるため、図２及び図４を参照してその概略動作を以下に説明する。
【００２７】
図２に示したビデオカメラにおいて、メモリカードやネットワーク環境を利用して、外部よりこのビデオカメラと互換性のあるファイルフォーマットにて、作成するメニュー画面に対応したフレーム情報の提供を受け、背景映像の撮影の際にそのフレーム情報を読み出すことによって、フレーム情報を設定する。そして、設定されたフレーム情報のアスペクト比が１６：９で、撮影サイズが７２０×４８０画素であった場合、図２に示した表示手段２２０には、図４に示すように、被写体画像又は映像４０に対して、テキストデータ４１、サムネイルデータ４２及びアイコンデータ４３を含むアイテムを重畳させた画面が表示される。撮影時の焦点位置は、アイテムの配置エリアを避けた所定の位置となるように、装置の内部で制御を行うか、又は、図４に示すように、被写体の映像に対して、アイテムと併せて焦点合わせ目標位置の情報４４を表示してユーザに対して焦点合わせ位置を指定する。これによって、ユーザはメニュー作成用の動画映像を撮影する際に、撮影画像サイズに合ったアイテム位置を認識して映像を撮影する環境にて、適切な被写体位置、構図及び焦点位置で被写体を撮影することができる。
【００２８】
＜第５の実施の形態＞
上述した第１の実施の形態で説明した静止画撮影装置としてのデジタルカメラにおいては、作成するメニュー画面に対応した複数のフレーム情報を、プリセットデータとして記憶させたＲＯＭ１０８から呼び出して表示させ、第３の実施の形態で説明した静止画撮影装置としてのデジタルカメラにおいては、メモリカードやネットワーク環境を利用して、このデジタルカメラと互換性のあるファイルフォーマットにて、作成するメニュー画面に対応したフレーム情報を外部より提供を受けて表示したが、本実施の形態は、１次元若しくは２次元でバーコード化されたフレーム情報を静止画撮影装置としてのデジタルカメラで撮影し、そのフレーム情報を呼び出して表示することによって、背景画像の撮影時の表示情報として設定するものである。
【００２９】
ここで、読み出されたフレーム情報のアスペクト比が１６：９で、撮影サイズが７２０×４８０画素であった場合、図１に示した表示手段１１６には、図４に示すように、被写体画像又は映像４０に対して、テキストデータ４１、サムネイルデータ４２及びアイコンデータ４３を含むアイテムを重畳させた画面が表示される。撮影時の焦点位置は、アイテムの配置エリアを避けた所定の位置となるように、装置の内部で制御を行うか、又は、図４に示すように、被写体の映像に対して、アイテムと併せて焦点合わせ目標位置の情報４４を表示してユーザに対して焦点合わせ位置を指定する。これによって、ユーザはメニュー作成用の静止画像を撮影する際に、撮影画像サイズに合ったアイテム位置を認識して映像を撮影する環境にて、適切な被写体位置、構図及び焦点位置で被写体を撮影することができる。
【００３０】
１次元若しくは２次元のバーコードを利用してフレーム情報を授受する方法としては、バーコード情報に記されたデジタルデータを基にしてフレームデータを作成する方法、バーコード情報を基にしてデジタルカメラのＲＯＭ１０８に登録されているプリセット情報を読み出す方法、バーコード情報を基にインターネットに接続しフレーム情報をダウンロードする方法などが想定される。
【００３１】
＜第６の実施の形態＞
上述した第２の実施の形態で説明した動画撮影装置としてのビデオカメラにおいては、作成するメニュー画面に対応した複数のフレーム情報を、プリセットデータとして記憶させたＲＯＭ２１２から呼び出して表示させ、第４の実施の形態で説明した静止画撮影装置としてのビデオカメラにおいては、メモリカードやネットワーク環境を利用して、このビデオカメラと互換性のあるファイルフォーマットにて、作成するメニュー画面に対応したフレーム情報を外部より提供を受けて表示したが、本実施の形態は、１次元若しくは２次元でバーコード化されたフレーム情報を動画撮影装置としてのビデオカメラで撮影し、そのフレーム情報を呼び出して表示することによって、背景画像の撮影時の表示情報として設定するものである。
【００３２】
ここで、読み出されたフレーム情報のアスペクト比が１６：９で、撮影サイズが７２０×４８０画素であった場合、図２に示した表示手段２２０には、図４に示すように、被写体画像又は映像４０に対して、テキストデータ４１、サムネイルデータ４２及びアイコンデータ４３を含むアイテムを重畳させた画面が表示される。撮影時の焦点位置は、アイテムの配置エリアを避けた所定の位置となるように、装置の内部で制御を行うか、又は、図４に示すように、被写体の映像に対して、アイテムと併せて焦点合わせ目標位置の情報４４を表示してユーザに対して焦点合わせ位置を指定する。これによって、ユーザはメニュー作成用の動画映像を撮影する際に、撮影画像サイズに合ったアイテム位置を認識して映像を撮影する環境にて、適切な被写体位置、構図及び焦点位置で被写体を撮影することができる。
【００３３】
１次元若しくは２次元のバーコードを利用してフレーム情報を授受する方法としては、バーコード情報に記されたデジタルデータを基にしてフレームデータを作成する方法、バーコード情報を基にしてビデオカメラのＲＯＭ２１２に登録されているプリセット情報を読み出す方法、バーコード情報を基にインターネットに接続しフレーム情報をダウンロードする方法などが想定される。
【００３４】
上述した各実施の形態において、それぞれ撮影データを保存するとき、静止画像の撮影と動画映像の撮影に適した方法がある。これらの方法をそれぞれ保存方法Ａ、Ｂ、Ｃとして以下に説明する。
【００３５】
＜保存方法Ａ＞
撮影データの保存方法としては、静止画撮影装置としてのデジタルカメラで撮影した静止画像に関しては、フレーム情報を含まないノーマルの静止画像をＪＰＥＧ形式若しくはＴＩＦＦ形式で記録媒体１１３に保存する。撮影静止画像の撮影時フレーム情報を確認するため、ノーマルの静止画像の保存と合わせて、フレーム情報を合成した静止画像をＪＰＥＧ形式若しくはＴＩＦＦ形式で記録媒体１１３に保存する。その他にも、フレーム内の各種のアイテム部分を透明化し、その画像をＰＮＧ形式のような透明色に対応したファイル形式で画像データを保存することもできる。
【００３６】
＜保存方法Ｂ＞
撮影データの保存方法としては、静止画撮影装置としてのデジタルカメラで撮影する際にはフレーム情報から得られる撮影画素サイズを無視し、ユーザが設定を行った画素数での静止画撮影を実現し、オリジナルの撮影データをＪＰＥＧ形式若しくはＴＩＦＦ形式で記録媒体１１３に保存する。同時にフレーム情報に基づいた画像サイズに撮影画像のリサイズを行い、フレーム情報を含まないノーマルの静止画像をＪＰＥＧ形式若しくはＴＩＦＦ形式で記録媒体１１３に保存する。撮影静止画像の撮影時フレーム情報を確認するため、ノーマルの静止画像の保存と合わせて、フレーム情報を合成した静止画像をＪＰＥＧ形式若しくはＴＩＦＦ形式で記録媒体１１３に保存する。その他にも、フレーム内の各種のアイテム部分を透明化し、その画像をＰＮＧ形式のような透明色に対応したファイル形式で画像データを保存することもできる。
【００３７】
＜保存方法Ｃ＞
撮影データの保存方法としては、動画撮影装置としてのビデオカメラで撮影した動画映像に関しては、フレーム情報を含まないノーマルの動画映像をＭＰＥＧ形式のような動画形式で記録媒体２１７に保存する。撮影動画映像の撮影時のフレーム情報を確認するため、ノーマルの動画映像の保存と併せて、フレーム情報を含んだ動画映像を頭数秒間含む動画映像をＭＰＥＧ形式のような動画形式で記録媒体２１７に保存する。
【００３８】
上述した各実施の形態で得られた静止画像又は動画映像を編集する方法としていくつかの方法がある。これらの方法をそれぞれ編集方法Ａ、編集方法Ｂとして以下に説明する。
【００３９】
＜編集方法Ａ＞
第１〜第６の実施の形態で得られた静止画像又は動画映像を、記録媒体やネットワーク環境を介して、パーソナルコンピュータなどの編集機器に提供し、ユーザが編集機器を使用してオーサリングソフトを用いて編集を行う際に、メニュー画面の背景画若しくは背景画動画映像として挿入し、メニュー画面を作成する。この作業によって、例えば、図５に示すように、表示画面３００に表示されるテキスト画像５１、サムネイル画像５２及びアイコン画像５３に対して、適切な位置及び構図で背景画像又は背景映像５０が映出されるメニュー画面を作成することができる。
【００４０】
＜編集方法Ｂ＞
第１〜第６の実施の形態で得られた静止画像又は動画映像を、記録媒体やネットワーク環境を介して、ＤＶＤレコーダなどのレコーダ機器に提供し、レコーダ機器のオーサリング機能を使用してメニュー画面の背景画若しくは背景動画映像として挿入し、メニュー画面を作成する。この作業によって、例えば、図５に示すようなメニュー画面を作成することができる。
【００４１】
なお、上述した各実施の形態中、静止画撮影装置としてデジタルカメラについて説明したが、デジタルカメラ以外の静止画撮影機能を有する機器若しくはシステムによって、このデジタルカメラと同様なメニュー作成用背景画を撮影する撮影装置を実現することができる。また、上述した実施の形態中、動画撮影装置としてビデオカメラについて説明したが、ビデオカメラ以外の動画撮影機能を有する機器若しくはシステムによって、このビデオカメラと同様なメニュー作成用背景画を撮影する撮影装置を実現することができる。
【産業上の利用可能性】
【００４２】
本発明によれば、メニュー作成用のアイテムが配置されたフレーム情報を、背景画像の撮影時の表示情報として設定すると、メニュー作成用の背景画像の撮影時に、設定されたフレーム情報のアイテムが撮影中の背景画像に重畳されて映像表示画面に表示されるので、適切な被写体位置及び構図での背景画像を撮影する撮影装置に有用である。
【図面の簡単な説明】
【００４３】
【図１】本発明に係る撮影装置の第１の実施の形態の構成を示すブロック図である。
【図２】本発明に係る撮影装置の第２の実施の形態の構成を示すブロック図である。
【図３】本発明の第１及び第２の実施の形態をそれぞれ構成するＣＰＵがユーザの入力操作に応じて実行する処理手順を示すフローチャートである。
【図４】本発明の第１及び第２の実施の形態の動作を説明するために、被写体の映像に対してアイテムが重畳した表示画面例である。
【図５】本発明の第１及び第２の実施の形態の動作を説明するために、アイテムが配置されたメニュー画面例である。
【符号の説明】
【００４４】
１０１、２０１  光学系
１０２、２０２  ＣＣＤ
１０４、２０４、２０８  Ａ／Ｄ変換器
１０５、２０５  撮像信号処理部
１０６、２１０  ＣＰＵ
１０９、２１３  入力手段
１１０、２１４  バッファメモリ
１１１、２１５  記録信号処理部
１１２、２１６  記録媒体制御部
１１３、２１７  記録媒体
１１６、２２０  表示手段（映像表示画面）
２０６  マイク
２０９  音声信号処理部
【図１】
2008294665.tif 000003
【図２】
2008294665.tif 000004
【図３】
2008294665.tif 000005
【図４】
2008294665.tif 000006
【図５】
2008294665.tif 000007